(57)【要約】【課題】印鑑が必要な申込処理をインターネット経由で実行可能且つ該帳票イメージに含まれる印鑑イメージの変形を確実に補正可能な帳票処理装置、帳票処理システム及び帳票画像補正方法を提供する。【解決手段】フォームの基準罫線の交点からなる複数の基準交点の座標データを記憶する座標記憶部と、基準交点に対応して、帳票イメージにおける印鑑押捺欄を形成する印鑑欄罫線の交点を印鑑欄交点として探索する探索部と、探索された各印鑑欄交点の座標データを検出する検出部と、検出された各印鑑欄交点の座標データを、対応の各基準交点の座標データへ変換して、帳票イメージにおける印鑑欄罫線の変形を補正する罫線補正部と、印鑑押捺欄内における複数の点を印鑑欄補間点として設定し、印鑑欄交点の座標データの変換に基づき各印鑑欄補間点の座標データを変換して、印鑑イメージの変形を補正する画像補正部とを、帳票処理装置に設ける。【選択図】        図１
2007274597.tif 000002
【特許請求の範囲】
【請求項１】
印鑑押捺欄が設けられているフォームを有する帳票の帳票イメージから前記印鑑押捺欄に押捺された印鑑の印鑑イメージを抽出する帳票処理装置において、
前記フォームの基準罫線の交点からなる複数の基準交点の座標データを記憶する座標記憶部と、
前記基準交点に対応して、前記帳票イメージにおける前記印鑑押捺欄を形成する印鑑欄罫線の交点を印鑑欄交点として探索する探索部と、
探索された前記各印鑑欄交点の座標データを検出する検出部と、
検出された前記各印鑑欄交点の座標データを、対応の前記各基準交点の座標データへ変換して、前記帳票イメージにおける前記印鑑欄罫線の変形を補正する罫線補正部と、
前記印鑑押捺欄内における複数の点を印鑑欄補間点として設定し、前記印鑑欄交点の座標データの変換に基づき前記各印鑑欄補間点の座標データを変換して、前記印鑑イメージの変形を補正する画像補正部と、
を備えることを特徴とする帳票処理装置。
【請求項２】
前記探索部により探索された前記複数の印鑑欄交点に基づいて前記印鑑欄罫線を追跡する罫線追跡部を更に備え、
前記座標記憶部は、更に何れかの前記基準罫線をそれぞれの所定の分割数で分割した分割点を基準線上点として、それぞれの前記基準線上点の座標データを記憶し、前記探索部は、更に前記罫線追跡部により追跡された前記印鑑欄罫線を、対応の前記所定の分割数で分割した分割点を印鑑欄線上点として探索し、前記検出部は、更に探索された前記印鑑欄線上点の座標データを検出し、前記罫線補正部は、更に検出された前記印鑑欄線上点の座標データを、対応の前記印鑑欄押捺欄の前記各基準線上点の座標データへ変換して、前記印鑑欄罫線の変形を補正し、前記画像補正部は、更に前記印鑑欄線上点の座標データの変換に基づいて、前記各印鑑欄補間点の座標データの変換を行って、前記印鑑イメージの変形の補正を行うことを特徴とする請求項１記載の帳票処理装置。
【請求項３】
前記座標記憶部に記憶される前記基準線上点は、何れかの前記基準罫線をそれぞれの所定の分割数で等分割した分割点であり、前記探索部は、前記印鑑欄罫線を対応の前記所定の分割数で等分割した分割点を前記印鑑欄線上点として探索することを特徴とする請求項２記載の帳票処理装置。
【請求項４】
前記探索部は、更に前記基準交点に対応して、前記帳票イメージにおける帳票罫線の交点を帳票交点として探索し、前記検出部は、更に探索された前記各帳票交点の座標データを検出し、前記罫線補正部は、更に検出された前記各帳票交点の座標データを、対応の前記各基準交点の座標データへ変換して、前記帳票イメージにおける前記帳票罫線の変形を補正し、前記画像補正部は、更に前記帳票イメージ内における複数の点を帳票補間点として設定し、前記帳票交点の座標データの変換に基づき前記各帳票補間点の座標データを変換して、前記帳票イメージの変形を補正することを特徴とする請求項１記載の帳票処理装置。
【請求項５】
前記探索部により探索された前記複数の帳票交点に基づいて前記帳票罫線を追跡する罫線追跡部を更に備え、
前記座標記憶部は、更に何れかの前記基準罫線をそれぞれの所定の分割数で分割した分割点を基準線上点として、それぞれの前記基準線上点の座標データを記憶し、前記探索部は、更に前記罫線追跡部により追跡された前記帳票罫線を、対応の前記所定の分割数で分割した分割点を帳票線上点として探索し、前記検出部は、更に探索された前記帳票線上点の座標データを検出し、前記罫線補正部は、更に検出された前記帳票線上点の座標データを、対応の前記各基準線上点の座標データへ変換して、前記帳票罫線の変形を補正し、前記画像補正部は、更に前記帳票線上点の座標データの変換に基づいて、前記各帳票補間点の座標データの変換を行って、前記帳票イメージの変形の補正を行うことを特徴とする請求項４記載の帳票処理装置。
【請求項６】
前記座標記憶部に記憶される前記基準線上点は、何れかの前記基準罫線をそれぞれの所定の分割数で等分割した分割点であり、前記探索部は、前記帳票罫線を対応の前記所定の分割数で等分割した分割点を前記帳票線上点として探索することを特徴とする請求項５記載の帳票処理装置。
【請求項７】
前記画像補正部は、アフィン変換により前記印鑑欄補間点の座標データの変換を行うことを特徴とする請求項１記載の帳票処理装置。
【請求項８】
前記画像補正部は、前記印鑑欄補間点の最近傍に位置する３つの前記交点或いは前記線上点に基づく三角形分割アフィン変換により前記印鑑欄補間点の座標データの変換を行うことを特徴とする請求項７記載の帳票処理装置。
【請求項９】
前記画像補正部は、透視変換により前記印鑑欄補間点の座標データの変換を行うことを特徴とする請求項１記載の帳票処理装置。
【請求項１０】
前記画像補正部は、アフィン変換により前記帳票補間点の座標データの変換を行うことを特徴とする請求項４記載の帳票処理装置。
【請求項１１】
前記画像補正部は、前記帳票補間点の最近傍に位置する３つの前記交点或いは前記線上点に基づく三角形分割アフィン変換により前記印鑑欄補間点の座標データの変換を行うことを特徴とする請求項１０記載の帳票処理装置。
【請求項１２】
前記画像補正部は、透視変換により前記帳票補間点の座標データの変換を行うことを特徴とする請求項４記載の帳票処理装置。
【請求項１３】
前記罫線追跡部は、ハフ変換により前記印鑑欄罫線の追跡を行うことを特徴とする請求項２記載の帳票処理装置。
【請求項１４】
前記罫線追跡部は、チェインコードにより前記印鑑欄罫線の追跡を行うことを特徴とする請求項２記載の帳票処理装置。
【請求項１５】
前記罫線追跡部は、ハフ変換により前記帳票罫線の追跡を行うことを特徴とする請求項５記載の帳票処理装置。
【請求項１６】
前記罫線追跡部は、チェインコードにより前記帳票罫線の追跡を行うことを特徴とする請求項５記載の帳票処理装置。
【請求項１７】
フォームを有する帳票の帳票イメージを取得する端末装置と、該端末装置と通信可能な帳票処理装置とを含む帳票処理システムにおいて、
前記端末装置は、
前記帳票イメージを取得する取得部と、
取得された前記帳票イメージを前記帳票処理装置へ送信する端末送信部とを備え、
前記帳票処理装置は、
前記フォームの基準罫線の交点からなる複数の基準交点の座標データを記憶する座標記憶部と、
前記基準交点に対応して、前記端末装置から受信した前記帳票イメージにおける前記印鑑押捺欄を形成する印鑑欄罫線の交点を印鑑欄交点として探索する探索部と、
探索された前記各印鑑欄交点の座標データを検出する検出部と、
検出された前記各印鑑欄交点の座標データを、対応の前記各基準交点の座標データへ変換して、前記帳票イメージにおける前記印鑑欄罫線の変形を補正する罫線補正部と、
前記印鑑押捺欄内における複数の点を印鑑欄補間点として設定し、前記印鑑欄交点の座標データの変換に基づき前記各印鑑欄補間点の座標データを変換して、前記印鑑イメージの変形を補正する画像補正部と、
を備えることを特徴とする帳票処理システム。
【請求項１８】
前記帳票は、顧客から機関への各種申込処理のために用いられ、前記端末装置は、前記顧客側に設けられたパーソナルコンピュータを有し、前記取得部は、前記パーソナルコンピュータに接続されたイメージスキャナからなり、前記帳票処理装置は、前記機関側に設けられ、前記帳票処理装置と前記端末装置との間の通信は、インターネットを介して行われることを特徴とする請求項１７記載の帳票処理システム。
【請求項１９】
前記帳票は、顧客から機関への各種申込処理のために用いられ、前記端末装置は、前記顧客側に設けられたパーソナルコンピュータを有し、前記取得部は、前記パーソナルコンピュータに接続されたデジタルカメラからなり、前記帳票処理装置は、前記機関側に設けられ、前記帳票処理装置と前記端末装置との間の通信は、インターネットを介して行われることを特徴とする請求項１７記載の帳票処理システム。
【請求項２０】
前記帳票は、顧客から機関への各種申込処理のために用いられ、前記端末装置は、前記顧客のデジタルカメラ付き携帯電話機からなり、前記取得部は、前記デジタルカメラからなり、前記帳票処理装置は、前記機関側に設けられ、前記帳票処理装置と前記端末装置との間の通信は、無線ネットワークを介して行われることを特徴とする請求項１７記載の帳票処理システム。
【請求項２１】
前記帳票処理装置は、前記探索部により探索された前記複数の印鑑欄交点に基づいて前記印鑑欄罫線を追跡する罫線追跡部を更に備え、
前記座標記憶部は、更に何れかの前記基準罫線をそれぞれの所定の分割数で分割した分割点を基準線上点として、それぞれの前記基準線上点の座標データを記憶し、前記探索部は、更に前記罫線追跡部により追跡された前記印鑑欄罫線を、対応の前記所定の分割数で分割した分割点を印鑑欄線上点として探索し、前記検出部は、更に探索された前記印鑑欄線上点の座標データを検出し、前記罫線補正部は、更に検出された前記印鑑欄線上点の座標データを、対応の前記印鑑欄押捺欄の前記各基準線上点の座標データへ変換して、前記印鑑欄罫線の変形を補正し、前記画像補正部は、更に前記印鑑欄線上点の座標データの変換に基づいて、前記各印鑑欄補間点の座標データの変換を行って、前記印鑑イメージの変形の補正を行うことを特徴とする請求項１７記載の帳票処理システム。
【請求項２２】
前記座標記憶部に記憶される前記基準線上点は、何れかの前記基準罫線をそれぞれの所定の分割数で等分割した分割点であり、前記探索部は、前記印鑑欄罫線を対応の前記所定の分割数で等分割した分割点を前記印鑑欄線上点として探索することを特徴とする請求項２１記載の帳票処理システム。
【請求項２３】
前記探索部は、更に前記基準交点に対応して、前記帳票イメージにおける帳票罫線の交点を帳票交点として探索し、前記検出部は、更に探索された前記各帳票交点の座標データを検出し、前記罫線補正部は、更に検出された前記各帳票交点の座標データを、対応の前記各基準交点の座標データへ変換して、前記帳票イメージにおける前記帳票罫線の変形を補正し、前記画像補正部は、更に前記帳票イメージ内における複数の点を帳票補間点として設定し、前記帳票交点の座標データの変換に基づき前記各帳票補間点の座標データを変換して、前記帳票イメージの変形を補正することを特徴とする請求項１７記載の帳票処理システム。
【請求項２４】
前記帳票処理装置は、前記探索部により探索された前記複数の帳票交点に基づいて前記帳票罫線を追跡する罫線追跡部を更に備え、
前記座標記憶部は、更に何れかの前記基準罫線をそれぞれの所定の分割数で分割した分割点を基準線上点として、それぞれの前記基準線上点の座標データを記憶し、前記探索部は、更に前記罫線追跡部により追跡された前記帳票罫線を、対応の前記所定の分割数で分割した分割点を帳票線上点として探索し、前記検出部は、更に探索された前記帳票線上点の座標データを検出し、前記罫線補正部は、更に検出された前記帳票線上点の座標データを、対応の前記各基準線上点の座標データへ変換して、前記帳票罫線の変形を補正し、前記画像補正部は、更に前記帳票線上点の座標データの変換に基づいて、前記各帳票補間点の座標データの変換を行って、前記帳票イメージの変形の補正を行うことを特徴とする請求項２３記載の帳票処理システム。
【請求項２５】
前記座標記憶部に記憶される前記基準線上点は、何れかの前記基準罫線をそれぞれの所定の分割数で等分割した分割点であり、前記探索部は、前記帳票罫線を対応の前記所定の分割数で等分割した分割点を前記帳票線上点として探索することを特徴とする請求項２４記載の帳票処理システム。
【請求項２６】
前記画像補正部は、アフィン変換により前記印鑑欄補間点の座標データの変換を行うことを特徴とする請求項１７記載の帳票処理システム。
【請求項２７】
前記画像補正部は、前記印鑑欄補間点の最近傍に位置する３つの前記交点或いは前記線上点に基づく三角形分割アフィン変換により前記印鑑欄補間点の座標データの変換を行うことを特徴とする請求項２６記載の帳票処理システム。
【請求項２８】
前記画像補正部は、透視変換により前記印鑑欄補間点の座標データの変換を行うことを特徴とする請求項１７記載の帳票処理システム。
【請求項２９】
前記画像補正部は、アフィン変換により前記帳票補間点の座標データの変換を行うことを特徴とする請求項２３記載の帳票処理システム。
【請求項３０】
前記画像補正部は、前記帳票補間点の最近傍に位置する３つの前記交点或いは前記線上点に基づく三角形分割アフィン変換により前記印鑑欄補間点の座標データの変換を行うことを特徴とする請求項２９記載の帳票処理システム。
【請求項３１】
前記画像補正部は、透視変換により前記帳票補間点の座標データの変換を行うことを特徴とする請求項２３記載の帳票処理システム。
【請求項３２】
前記罫線追跡部は、ハフ変換により前記印鑑欄罫線の追跡を行うことを特徴とする請求項２１記載の帳票処理システム。
【請求項３３】
前記罫線追跡部は、チェインコードにより前記印鑑欄罫線の追跡を行うことを特徴とする請求項２１記載の帳票処理システム。
【請求項３４】
前記罫線追跡部は、ハフ変換により前記帳票罫線の追跡を行うことを特徴とする請求項２４記載の帳票処理システム。
【請求項３５】
前記罫線追跡部は、チェインコードにより前記帳票罫線の追跡を行うことを特徴とする請求項２４記載の帳票処理システム。
【請求項３６】
印鑑押捺欄が設けられているフォームを有する帳票の帳票イメージから前記印鑑押捺欄に押捺された印鑑の印鑑イメージを抽出する帳票処理装置と、該帳票処理装置と通信可能なサーバとを含む帳票処理システムにおいて、
前記帳票処理装置は、
前記フォームの基準罫線の交点からなる複数の基準交点の座標データを記憶する座標記憶部と、
前記基準交点に対応して、前記帳票イメージにおける前記印鑑押捺欄を形成する印鑑欄罫線の交点を印鑑欄交点として探索する探索部と、
探索された前記各印鑑欄交点の座標データを検出する検出部と、
検出された前記各印鑑欄交点の座標データを、対応の前記各基準交点の座標データへ変換して、前記帳票イメージにおける前記印鑑欄罫線の変形を補正する罫線補正部と、
前記印鑑押捺欄内における複数の点を印鑑欄補間点として設定し、前記印鑑欄交点の座標データの変換に基づき前記各印鑑欄補間点の座標データを変換して、前記印鑑イメージの変形を補正する画像補正部と、
前記印鑑欄罫線及び前記印鑑イメージの変形が補正された補正帳票イメージをサーバへ送信する通信部とを備え、
前記サーバは、
前記帳票処理装置から前記補正帳票イメージを受信するサーバ受信部と、
受信した前記補正帳票イメージを記憶するサーバ記憶部と、
を備えることを特徴とする帳票処理システム。
【請求項３７】
前記帳票処理装置は、パーソナルコンピュータからなり、前記帳票イメージは、前記パーソナルコンピュータに接続されたイメージスキャナにより取得され、前記帳票処理装置と前記サーバとの間の通信は、インターネットを介して行われることを特徴とする請求項３６記載の帳票処理システム。
【請求項３８】
前記帳票処理装置は、パーソナルコンピュータからなり、前記帳票イメージは、前記パーソナルコンピュータに接続されたデジタルカメラにより取得され、前記帳票処理装置と前記サーバとの間の通信は、インターネットを介して行われることを特徴とする請求項３６記載の帳票処理システム。
【請求項３９】
前記帳票処理装置は、デジタルカメラ付き携帯電話機からなり、前記帳票イメージは、前記デジタルカメラにより取得され、前記帳票処理装置と前記サーバとの間の通信は、無線ネットワークを介して行われることを特徴とする請求項３６記載の帳票処理システム。
【請求項４０】
前記帳票処理装置は、前記探索部により探索された前記複数の印鑑欄交点に基づいて前記印鑑欄罫線を追跡する罫線追跡部を更に備え、
前記座標記憶部は、更に何れかの前記基準罫線をそれぞれの所定の分割数で分割した分割点を基準線上点として、それぞれの前記基準線上点の座標データを記憶し、前記探索部は、更に前記罫線追跡部により追跡された前記印鑑欄罫線を、対応の前記所定の分割数で分割した分割点を印鑑欄線上点として探索し、前記検出部は、更に探索された前記印鑑欄線上点の座標データを検出し、前記罫線補正部は、更に検出された前記印鑑欄線上点の座標データを、対応の前記印鑑欄押捺欄の前記各基準線上点の座標データへ変換して、前記印鑑欄罫線の変形を補正し、前記画像補正部は、更に前記印鑑欄線上点の座標データの変換に基づいて、前記各印鑑欄補間点の座標データの変換を行って、前記印鑑イメージの変形の補正を行うことを特徴とする請求項３６記載の帳票処理システム。
【請求項４１】
前記帳票処理装置において、前記座標記憶部に記憶される前記基準線上点は、何れかの前記基準罫線をそれぞれの所定の分割数で等分割した分割点であり、前記探索部は、前記印鑑欄罫線を対応の前記所定の分割数で等分割した分割点を前記印鑑欄線上点として探索することを特徴とする請求項４０記載の帳票処理システム。
【請求項４２】
前記帳票処理装置において、前記探索部は、更に前記基準交点に対応して、前記帳票イメージにおける帳票罫線の交点を帳票交点として探索し、前記検出部は、更に探索された前記各帳票交点の座標データを検出し、前記罫線補正部は、更に検出された前記各帳票交点の座標データを、対応の前記各基準交点の座標データへ変換して、前記帳票イメージにおける前記帳票罫線の変形を補正し、前記画像補正部は、更に前記帳票イメージ内における複数の点を帳票補間点として設定し、前記帳票交点の座標データの変換に基づき前記各帳票補間点の座標データを変換して、前記帳票イメージの変形を補正することを特徴とする請求項３６記載の帳票処理システム。
【請求項４３】
前記帳票処理装置は、前記探索部により探索された前記複数の帳票交点に基づいて前記帳票罫線を追跡する罫線追跡部を更に備え、
前記座標記憶部は、更に何れかの前記基準罫線をそれぞれの所定の分割数で分割した分割点を基準線上点として、それぞれの前記基準線上点の座標データを記憶し、前記探索部は、更に前記罫線追跡部により追跡された前記帳票罫線を、対応の前記所定の分割数で分割した分割点を帳票線上点として探索し、前記検出部は、更に探索された前記帳票線上点の座標データを検出し、前記罫線補正部は、更に検出された前記帳票線上点の座標データを、対応の前記各基準線上点の座標データへ変換して、前記帳票罫線の変形を補正し、前記画像補正部は、更に前記帳票線上点の座標データの変換に基づいて、前記各帳票補間点の座標データの変換を行って、前記帳票イメージの変形の補正を行うことを特徴とする請求項４２記載の帳票処理システム。
【請求項４４】
前記帳票処理装置において、前記座標記憶部に記憶される前記基準線上点は、何れかの前記基準罫線をそれぞれの所定の分割数で等分割した分割点であり、前記探索部は、前記帳票罫線を対応の前記所定の分割数で等分割した分割点を前記帳票線上点として探索することを特徴とする請求項４３記載の帳票処理システム。
【請求項４５】
前記帳票処理装置において、前記画像補正部は、アフィン変換により前記印鑑欄補間点の座標データの変換を行うことを特徴とする請求項３６記載の帳票処理システム。
【請求項４６】
前記帳票処理装置において、前記画像補正部は、前記印鑑欄補間点の最近傍に位置する３つの前記交点或いは前記線上点に基づく三角形分割アフィン変換により前記印鑑欄補間点の座標データの変換を行うことを特徴とする請求項４５記載の帳票処理システム。
【請求項４７】
前記帳票処理装置において、前記画像補正部は、透視変換により前記印鑑欄補間点の座標データの変換を行うことを特徴とする請求項３６記載の帳票処理システム。
【請求項４８】
前記帳票処理装置において、前記画像補正部は、アフィン変換により前記帳票補間点の座標データの変換を行うことを特徴とする請求項４２記載の帳票処理システム。
【請求項４９】
前記帳票処理装置において、前記画像補正部は、前記帳票補間点の最近傍に位置する３つの前記交点或いは前記線上点に基づく三角形分割アフィン変換により前記印鑑欄補間点の座標データの変換を行うことを特徴とする請求項４８記載の帳票処理システム。
【請求項５０】
前記帳票処理装置において、前記画像補正部は、透視変換により前記帳票補間点の座標データの変換を行うことを特徴とする請求項４２記載の帳票処理システム。
【請求項５１】
前記帳票処理装置において、前記罫線追跡部は、ハフ変換により前記印鑑欄罫線の追跡を行うことを特徴とする請求項４０記載の帳票処理システム。
【請求項５２】
前記帳票処理装置において、前記罫線追跡部は、チェインコードにより前記印鑑欄罫線の追跡を行うことを特徴とする請求項４０記載の帳票処理システム。
【請求項５３】
前記帳票処理装置において、前記罫線追跡部は、ハフ変換により前記帳票罫線の追跡を行うことを特徴とする請求項４３記載の帳票処理システム。
【請求項５４】
前記帳票処理装置において、前記罫線追跡部は、チェインコードにより前記帳票罫線の追跡を行うことを特徴とする請求項４３記載の帳票処理システム。
【請求項５５】
印鑑押捺欄が設けられているフォームを有する帳票の帳票イメージの変形を補正する帳票画像補正方法において、
前記フォームの基準罫線の交点からなる複数の基準交点の座標データを記憶することと、
前記基準交点に対応して、前記帳票イメージにおける前記印鑑押捺欄を形成する印鑑欄罫線の交点を印鑑欄交点として探索することと、
探索された前記印鑑欄交点を座標データを検出することと、
検出された前記印鑑欄交点の座標データを、対応の前記各基準交点の座標データへ変換して、前記帳票イメージにおける前記印鑑欄罫線の変形を補正することと、
前記印鑑押捺欄内における複数の点を印鑑欄補間点として設定し、前記印鑑欄交点の座標データの変換に基づき前記各印鑑欄補間点の座標データを変換して、前記印鑑イメージの変形を補正することと、
を備えることを特徴とする帳票画像補正方法。
【請求項５６】
前記帳票画像補正方法において、探索された前記複数の印鑑欄交点に基づいて前記印鑑欄罫線を追跡することを更に備え、
更に何れかの前記基準罫線をそれぞれの所定の分割数で分割した分割点を基準線上点として、それぞれの前記基準線上点の座標データを記憶し、更に前記罫線追跡部により追跡された前記印鑑欄罫線を、対応の前記所定の分割数で分割した分割点を印鑑欄線上点として探索し、更に探索された前記印鑑欄線上点の座標データを検出することと、更に検出された前記印鑑欄線上点の座標データを、対応の前記印鑑欄押捺欄の前記各基準線上点の座標データへ変換して、前記印鑑欄罫線の変形を補正し、更に前記印鑑欄線上点の座標データの変換に基づいて、前記各印鑑欄補間点の座標データの変換を行って、前記印鑑イメージの変形の補正を行うことを特徴とする請求５５記載の帳票画像補正方法。
【請求項５７】
前記帳票画像補正方法において、記憶される前記基準線上点は、何れかの前記基準罫線をそれぞれの所定の分割数で等分割した分割点であり、前記印鑑欄罫線を対応の前記所定の分割数で等分割した分割点を前記印鑑欄線上点として探索することを特徴とする請求項５６記載の帳票画像補正方法。
【請求項５８】
更に前記基準交点に対応して、前記帳票イメージにおける帳票罫線の交点を帳票交点として探索し、更に探索された前記各帳票交点の座標データを検出し、更に検出された前記各帳票交点の座標データを、対応の前記各基準交点の座標データへ変換して、前記帳票イメージにおける前記帳票罫線の変形を補正し、更に前記帳票イメージ内における複数の点を帳票補間点として設定し、前記帳票交点の座標データの変換に基づき前記各帳票補間点の座標データを変換して、前記帳票イメージの変形を補正することを特徴とする請求項５５記載の帳票画像補正方法。
【請求項５９】
前記帳票画像補正方法において、探索された前記複数の帳票交点に基づいて前記帳票罫線を追跡することを更に備え、
更に何れかの前記基準罫線をそれぞれの所定の分割数で分割した分割点を基準線上点として、それぞれの前記基準線上点の座標データを記憶し、更に前記罫線追跡部により追跡された前記帳票罫線を、対応の前記所定の分割数で分割した分割点を帳票線上点として探索し、更に探索された前記帳票線上点の座標データを検出し、更に検出された前記帳票線上点の座標データを、対応の前記各基準線上点の座標データへ変換して、前記帳票罫線の変形を補正し、更に前記帳票線上点の座標データの変換に基づいて、前記各帳票補間点の座標データの変換を行って、前記帳票イメージの変形の補正を行うことを特徴とする請求項５８記載の帳票画像補正方法。
【請求項６０】
前記帳票画像補正方法において、記憶される前記基準線上点は、何れかの前記基準罫線をそれぞれの所定の分割数で等分割した分割点であり、前記帳票罫線を対応の前記所定の分割数で等分割した分割点を前記帳票線上点として探索することを特徴とする請求項５９記載の帳票画像補正方法。
【請求項６１】
アフィン変換により前記印鑑欄補間点の座標データの変換を行うことを特徴とする請求項５５記載の帳票画像補正方法。
【請求項６２】
前記印鑑欄補間点の最近傍に位置する３つの前記交点或いは前記線上点に基づく三角形分割アフィン変換により前記印鑑欄補間点の座標データの変換を行うことを特徴とする請求項６１記載の帳票画像補正方法。
【請求項６３】
透視変換により前記印鑑欄補間点の座標データの変換を行うことを特徴とする請求項５５記載の帳票画像補正方法。
【請求項６４】
アフィン変換により前記帳票補間点の座標データの変換を行うことを特徴とする請求項５８記載の帳票画像補正方法。
【請求項６５】
前記帳票補間点の最近傍に位置する３つの前記交点或いは前記線上点に基づく三角形分割アフィン変換により前記印鑑欄補間点の座標データの変換を行うことを特徴とする請求項６４記載の帳票処理装置。
【請求項６６】
透視変換により前記帳票補間点の座標データの変換を行うことを特徴とする請求項５８記載の帳票画像補正方法。
【請求項６７】
ハフ変換により前記印鑑欄罫線の追跡を行うことを特徴とする請求項５６記載の帳票画像補正方法。
【請求項６８】
チェインコードにより前記印鑑欄罫線の追跡を行うことを特徴とする請求項５６記載の帳票画像補正方法。
【請求項６９】
ハフ変換により前記帳票罫線の追跡を行うことを特徴とする請求項５９記載の帳票画像補正方法。
【請求項７０】
前記罫線追跡部は、チェインコードにより前記帳票罫線の追跡を行うことを特徴とする請求項５９記載の帳票画像補正方法。
【発明の詳細な説明】
【技術分野】
【０００１】
本発明は、帳票に押捺された印鑑の印鑑イメージについて変形の補正を可能とする帳票処理装置、帳票処理システム及び帳票画像補正方法に関する。
【背景技術】
【０００２】
従来、公共料金等について、口座振替の申込を行う場合、顧客は、例えば支払先の機関により発行された帳票としての口座振替依頼書を予め入手し、該口座振替依頼書に、氏名や口座番号等からなる口座情報を記入し、該口座に対して予め登録されている登録印鑑を押捺する。そして顧客は、支払先の機関を介して、或いは直接、該帳票を銀行の営業店へ郵送する。
【０００３】
帳票が営業店に届いた後、該帳票に対する受付業務が実施される。営業店には、例えばフラットベッドスキャナ等の高精度な画像取得装置が設置されており、営業店のオペレータが該画像取得装置を操作することにより、帳票のイメージデータ化が行われ、変形のない高品質な帳票イメージが取得される。続いて、画像取得装置に接続された帳票処理装置、例えば帳票ＯＣＲ（Ｏｐｔｉｃａｌ  Ｃｈａｒａｃｔｅｒ  Ｒｅａｄｅｒ）画像処理装置により、取得された帳票イメージに含まれる口座情報が読み取って認識され、また、帳票に押捺された印鑑の印鑑イメージが取得される。その後、取得された印鑑イメージと予め登録されている印鑑イメージとの照合処理が行われる。
【０００４】
しかしながら、この場合、銀行へ帳票を郵送するためのコスト及び日数を要するという問題があった。
【０００５】
上記問題を解消するために、例えば、ＦＡＸにより帳票を銀行へ送信する方法が考えられるが、ＦＡＸでは、充分な品質の画像が取得できないため、帳票の受付業務の実施は不可能であった。
【０００６】
また、顧客がデジタルカメラやスキャナ等の画像取得装置により帳票イメージを取得して、インターネット経由で銀行へ送信する方法も考えられるが、従来、画像取得装置は一般に普及しておらず、実現されていなかった。
【０００７】
そして、上記方法を実現するとしても、デジタルカメラにより帳票を撮影して帳票イメージを取得する場合、取得された帳票イメージには、レンズの歪みに起因するたる型歪みや撮影画角に起因する台形歪み等の変形が発生してしまう。上記した口座振替の申込の場合、登録されている印鑑イメージとの照合処理のために、帳票イメージから正確な印鑑イメージを取得する必要があるので、印鑑イメージの変形を補正するために、複雑な画像補正ソフトを開発しなければならず、手間やコストがかかるという問題があった。
【０００８】
一方、特許文献１には、非接触型画像読取装置の技術が開示されている。この画像読取装置の技術によれば、折れ曲がりや浮き上がりのある媒体の画像を補正して、該媒体に書かれた文字等を読み取ることができる。
【特許文献１】特開２０００−１１５５１０号公報
【発明の開示】
【発明が解決しようとする課題】
【０００９】
しかしながら、特許文献１に開示された技術は、上記したたる型歪み等の変形には対応していないため、このような変形のある帳票イメージから、変形が補正された正確な印鑑イメージを取得することは不可能である。
【００１０】
一方、近年のＩＴ技術の進展及びインターネットの普及により、デジタルカメラやスキャナ等が広く普及するようになり、また、インターネット設備及び環境も整備され、顧客が所有する画像取得装置により取得した帳票イメージをインターネット経由で銀行等の機関へ送信して、該帳票に対する受付業務を実施可能なシステムの実現が期待されている。
【００１１】
従って、印鑑が必要な申込処理をインターネット経由で実行可能且つ該帳票イメージに含まれる印鑑イメージの変形を確実に補正可能な帳票処理装置、帳票処理システム及び帳票画像補正方法が望まれていた。
【課題を解決するための手段】
【００１２】
本発明は、以上の点を解決するために、次の構成を採用する。
【００１３】
〈構成１〉
本発明に係る帳票処理装置は、印鑑押捺欄が設けられているフォームを有する帳票の帳票イメージから印鑑押捺欄に押捺された印鑑の印鑑イメージを抽出し、フォームの基準罫線の交点からなる複数の基準交点の座標データを記憶する座標記憶部と、基準交点に対応して、帳票イメージにおける印鑑押捺欄を形成する印鑑欄罫線の交点を印鑑欄交点として探索する探索部と、探索された各印鑑欄交点の座標データを検出する検出部と、検出された各印鑑欄交点の座標データを、対応の各基準交点の座標データへ変換して、帳票イメージにおける印鑑欄罫線の変形を補正する罫線補正部と、印鑑押捺欄内における複数の点を印鑑欄補間点として設定し、印鑑欄交点の座標データの変換に基づき各印鑑欄補間点の座標データを変換して、印鑑イメージの変形を補正する画像補正部とを備えることを特徴とする。
【００１４】
本発明に係る帳票処理装置は、探索部により探索された複数の印鑑欄交点に基づいて印鑑欄罫線を追跡する罫線追跡部を更に備え、座標記憶部は、更に何れかの基準罫線をそれぞれの所定の分割数で分割した分割点を基準線上点として、それぞれの基準線上点の座標データを記憶し、探索部は、更に罫線追跡部により追跡された印鑑欄罫線を、対応の所定の分割数で分割した分割点を印鑑欄線上点として探索し、検出部は、更に探索された印鑑欄線上点の座標データを検出し、罫線補正部は、更に検出された印鑑欄線上点の座標データを、対応の印鑑欄押捺欄の各基準線上点の座標データへ変換して、印鑑欄罫線の変形を補正し、画像補正部は、更に印鑑欄線上点の座標データの変換に基づいて、各印鑑欄補間点の座標データの変換を行って、印鑑イメージの変形の補正を行うことができる。
【００１５】
この場合、座標記憶部に記憶される基準線上点は、何れかの基準罫線をそれぞれの所定の分割数で等分割した分割点であり、探索部は、印鑑欄罫線を対応の所定の分割数で等分割した分割点を印鑑欄線上点として探索する。
【００１６】
本発明に係る帳票処理装置において、探索部は、更に基準交点に対応して、帳票イメージにおける帳票罫線の交点を帳票交点として探索し、検出部は、更に探索された各帳票交点の座標データを検出し、罫線補正部は、更に検出された各帳票交点の座標データを、対応の各基準交点の座標データへ変換して、帳票イメージにおける帳票罫線の変形を補正し、
画像補正部は、更に帳票イメージ内における複数の点を帳票補間点として設定し、帳票交点の座標データの変換に基づき各帳票補間点の座標データを変換して、帳票イメージの変形を補正することができる。
【００１７】
本発明に係る帳票処理装置は、探索部により探索された複数の帳票交点に基づいて帳票罫線を追跡する罫線追跡部を更に備え、座標記憶部は、更に何れかの基準罫線をそれぞれの所定の分割数で分割した分割点を基準線上点として、それぞれの基準線上点の座標データを記憶し、探索部は、更に罫線追跡部により追跡された帳票罫線を、対応の所定の分割数で分割した分割点を帳票線上点として探索し、検出部は、更に探索された帳票線上点の座標データを検出し、罫線補正部は、更に検出された帳票線上点の座標データを、対応の各基準線上点の座標データへ変換して、帳票罫線の変形を補正し、画像補正部は、更に帳票線上点の座標データの変換に基づいて、各帳票補間点の座標データの変換を行って、帳票イメージの変形の補正を行うことができる。
【００１８】
この場合、座標記憶部に記憶される基準線上点は、何れかの基準罫線をそれぞれの所定の分割数で等分割した分割点であり、探索部は、帳票罫線を対応の所定の分割数で等分割した分割点を帳票線上点として探索する。
【００１９】
本発明に係る好評処理装置において、画像補正部は、アフィン変換により印鑑欄補間点及び帳票補間点の座標データの変換を行うことができる。
【００２０】
この場合、画像補正部は、印鑑欄補間点の最近傍に位置する３つの交点或いは線上点に基づく三角形分割アフィン変換により印鑑欄補間点の座標データの変換を行うことができる。
【００２１】
また、画像補正部は、帳票補間点の最近傍に位置する３つの交点或いは線上点に基づく三角形分割アフィン変換により帳票補間点の座標データの変換を行うことができる。
【００２２】
更に、画像補正部は、透視変換により印鑑欄補間点及び帳票補間点の座標データの変換を行うことができる。
【００２３】
本発明に係る帳票処理装置において、罫線追跡部は、ハフ変換により印鑑欄罫線及び帳票罫線の追跡を行うことができる。
【００２４】
また、罫線追跡部は、チェインコードにより印鑑欄罫線及び帳票罫線の追跡を行うこともできる。
【００２５】
〈構成２〉
本発明に係る帳票処理システムは、フォームを有する帳票の帳票イメージを取得する端末装置と、該端末装置と通信可能な帳票処理装置とを含み、端末装置は、帳票イメージを取得する取得部と、取得された帳票イメージを帳票処理装置へ送信する端末送信部とを備え、帳票処理装置は、フォームの基準罫線の交点からなる複数の基準交点の座標データを記憶する座標記憶部と、基準交点に対応して、端末装置から受信した帳票イメージにおける印鑑押捺欄を形成する印鑑欄罫線の交点を印鑑欄交点として探索する探索部と、探索された各印鑑欄交点の座標データを検出する検出部と、検出された各印鑑欄交点の座標データを、対応の各基準交点の座標データへ変換して、帳票イメージにおける印鑑欄罫線の変形を補正する罫線補正部と、印鑑押捺欄内における複数の点を印鑑欄補間点として設定し、印鑑欄交点の座標データの変換に基づき各印鑑欄補間点の座標データを変換して、印鑑イメージの変形を補正する画像補正部とを備えることを特徴とする。
【００２６】
本発明に係る帳票処理システムにおいて、帳票は、顧客から機関への各種申込処理のために用いられ、端末装置は、顧客側に設けられたパーソナルコンピュータを有し、取得部は、パーソナルコンピュータに接続されたイメージスキャナからなり、帳票処理装置は、機関側に設けられ、帳票処理装置と端末装置との間の通信は、インターネットを介して行われる。
【００２７】
また、端末装置は、顧客側に設けられたパーソナルコンピュータを有し、取得部は、パーソナルコンピュータに接続されたデジタルカメラからなり、帳票処理装置は、機関側に設けられ、帳票処理装置と端末装置との間の通信は、インターネットを介して行われる。
【００２８】
更に、端末装置は、顧客のデジタルカメラ付き携帯電話機からなり、取得部は、デジタルカメラからなり、帳票処理装置は、機関側に設けられ、帳票処理装置と端末装置との間の通信は、無線ネットワークを介して行われる。
【００２９】
本発明に係る帳票処理システムにおいて、帳票処理装置は、探索部により探索された複数の印鑑欄交点に基づいて印鑑欄罫線を追跡する罫線追跡部を更に備え、座標記憶部は、更に何れかの基準罫線をそれぞれの所定の分割数で分割した分割点を基準線上点として、それぞれの基準線上点の座標データを記憶し、探索部は、更に罫線追跡部により追跡された印鑑欄罫線を、対応の所定の分割数で分割した分割点を印鑑欄線上点として探索し、検出部は、更に探索された印鑑欄線上点の座標データを検出し、罫線補正部は、更に検出された印鑑欄線上点の座標データを、対応の印鑑欄押捺欄の各基準線上点の座標データへ変換して、印鑑欄罫線の変形を補正し、画像補正部は、更に印鑑欄線上点の座標データの変換に基づいて、各印鑑欄補間点の座標データの変換を行って、印鑑イメージの変形の補正を行うことができる。
【００３０】
この場合、座標記憶部に記憶される基準線上点は、何れかの基準罫線をそれぞれの所定の分割数で等分割した分割点であり、探索部は、印鑑欄罫線を対応の所定の分割数で等分割した分割点を印鑑欄線上点として探索する。
【００３１】
本発明に係る帳票処理システムにおいて、探索部は、更に基準交点に対応して、帳票イメージにおける帳票罫線の交点を帳票交点として探索し、検出部は、更に探索された各帳票交点の座標データを検出し、罫線補正部は、更に検出された各帳票交点の座標データを、対応の各基準交点の座標データへ変換して、帳票イメージにおける帳票罫線の変形を補正し、画像補正部は、更に帳票イメージ内における複数の点を帳票補間点として設定し、帳票交点の座標データの変換に基づき各帳票補間点の座標データを変換して、帳票イメージの変形を補正することができる。
【００３２】
また、帳票処理装置は、探索部により探索された複数の帳票交点に基づいて帳票罫線を追跡する罫線追跡部を更に備え、座標記憶部は、更に何れかの基準罫線をそれぞれの所定の分割数で分割した分割点を基準線上点として、それぞれの基準線上点の座標データを記憶し、探索部は、更に罫線追跡部により追跡された帳票罫線を、対応の所定の分割数で分割した分割点を帳票線上点として探索し、検出部は、更に探索された帳票線上点の座標データを検出し、罫線補正部は、更に検出された帳票線上点の座標データを、対応の各基準線上点の座標データへ変換して、帳票罫線の変形を補正し、画像補正部は、更に帳票線上点の座標データの変換に基づいて、各帳票補間点の座標データの変換を行って、帳票イメージの変形の補正を行うことができる。
【００３３】
この場合、座標記憶部に記憶される基準線上点は、何れかの基準罫線をそれぞれの所定の分割数で等分割した分割点であり、探索部は、帳票罫線を対応の所定の分割数で等分割した分割点を帳票線上点として探索する。
【００３４】
本発明に係る帳票処理システムにおいて、画像補正部は、アフィン変換により印鑑欄補間点及び帳票補間点の座標データの変換を行うことができる。
【００３５】
この場合、画像補正部は、印鑑欄補間点の最近傍に位置する３つの交点或いは線上点に基づく三角形分割アフィン変換により印鑑欄補間点の座標データの変換を行うことができる。
【００３６】
また、画像補正部は、帳票補間点の最近傍に位置する３つの交点或いは線上点に基づく三角形分割アフィン変換により帳票補間点の座標データの変換を行うことができる。
【００３７】
更に、画像補正部は、透視変換により印鑑欄補間点及び帳票補間点の座標データの変換を行うことができる。
【００３８】
本発明に係る帳票処理装置において、罫線追跡部は、ハフ変換により印鑑欄罫線及び帳票罫線の追跡を行うことができる。
【００３９】
また、罫線追跡部は、チェインコードにより印鑑欄罫線及び帳票罫線の追跡を行うこともできる。
【００４０】
〈構成３〉
本発明に係る帳票処理システムは、印鑑押捺欄が設けられているフォームを有する帳票の帳票イメージから印鑑押捺欄に押捺された印鑑の印鑑イメージを抽出する帳票処理装置と、該帳票処理装置と通信可能なサーバとを含み、帳票処理装置は、フォームの基準罫線の交点からなる複数の基準交点の座標データを記憶する座標記憶部と、基準交点に対応して、帳票イメージにおける印鑑押捺欄を形成する印鑑欄罫線の交点を印鑑欄交点として探索する探索部と、探索された各印鑑欄交点の座標データを検出する検出部と、検出された各印鑑欄交点の座標データを、対応の各基準交点の座標データへ変換して、帳票イメージにおける印鑑欄罫線の変形を補正する罫線補正部と、印鑑押捺欄内における複数の点を印鑑欄補間点として設定し、印鑑欄交点の座標データの変換に基づき各印鑑欄補間点の座標データを変換して、印鑑イメージの変形を補正する画像補正部と、印鑑欄罫線及び印鑑イメージの変形が補正された補正帳票イメージをサーバへ送信する通信部とを備え、サーバは、帳票処理装置から補正帳票イメージを受信するサーバ受信部と、受信した補正帳票イメージを記憶するサーバ記憶部とを備えることを特徴とする。
【００４１】
本発明に係る帳票処理システムにおいて、帳票処理装置として、パーソナルコンピュータを採用することができる。この場合、帳票イメージは、パーソナルコンピュータに接続されたイメージスキャナ或いはデジタルカメラにより取得可能であり、帳票処理装置とサーバとの間の通信は、インターネットを介して行われる。
【００４２】
また、帳票処理装置として、デジタルカメラ付き携帯電話機を採用することもできる。この場合、帳票イメージは、デジタルカメラにより取得可能であり、帳票処理装置とサーバとの間の通信は、無線ネットワークを介して行われる。
【００４３】
本発明に係る帳票処理システムにおいて、帳票処理装置は、探索部により探索された複数の印鑑欄交点に基づいて印鑑欄罫線を追跡する罫線追跡部を更に備え、座標記憶部は、更に何れかの基準罫線をそれぞれの所定の分割数で分割した分割点を基準線上点として、それぞれの基準線上点の座標データを記憶し、探索部は、更に罫線追跡部により追跡された印鑑欄罫線を、対応の所定の分割数で分割した分割点を印鑑欄線上点として探索し、検出部は、更に探索された印鑑欄線上点の座標データを検出し、罫線補正部は、更に検出された印鑑欄線上点の座標データを、対応の印鑑欄押捺欄の各基準線上点の座標データへ変換して、印鑑欄罫線の変形を補正し、画像補正部は、更に印鑑欄線上点の座標データの変換に基づいて、各印鑑欄補間点の座標データの変換を行って、印鑑イメージの変形の補正を行うことができる。
【００４４】
この場合、帳票処理装置において、座標記憶部に記憶される基準線上点は、何れかの基準罫線をそれぞれの所定の分割数で等分割した分割点であり、探索部は、印鑑欄罫線を対応の所定の分割数で等分割した分割点を印鑑欄線上点として探索する。
【００４５】
本発明に係る帳票処理システムにおいて、探索部は、更に基準交点に対応して、帳票イメージにおける帳票罫線の交点を帳票交点として探索し、検出部は、更に探索された各帳票交点の座標データを検出し、罫線補正部は、更に検出された各帳票交点の座標データを、対応の各基準交点の座標データへ変換して、帳票イメージにおける帳票罫線の変形を補正し、画像補正部は、更に帳票イメージ内における複数の点を帳票補間点として設定し、帳票交点の座標データの変換に基づき各帳票補間点の座標データを変換して、帳票イメージの変形を補正することができる。
【００４６】
本発明に係る帳票処理システムにおいて、帳票処理装置は、探索部により探索された複数の帳票交点に基づいて帳票罫線を追跡する罫線追跡部を更に備え、座標記憶部は、更に何れかの基準罫線をそれぞれの所定の分割数で分割した分割点を基準線上点として、それぞれの基準線上点の座標データを記憶し、探索部は、更に罫線追跡部により追跡された帳票罫線を、対応の所定の分割数で分割した分割点を帳票線上点として探索し、検出部は、更に探索された帳票線上点の座標データを検出し、罫線補正部は、更に検出された帳票線上点の座標データを、対応の各基準線上点の座標データへ変換して、帳票罫線の変形を補正し、画像補正部は、更に帳票線上点の座標データの変換に基づいて、各帳票補間点の座標データの変換を行って、帳票イメージの変形の補正を行うことができる。
【００４７】
この場合、帳票処理装置において、座標記憶部に記憶される基準線上点は、何れかの基準罫線をそれぞれの所定の分割数で等分割した分割点であり、探索部は、帳票罫線を対応の所定の分割数で等分割した分割点を帳票線上点として探索する。
【００４８】
本発明に係る帳票処理システムにおいて、画像補正部は、アフィン変換により印鑑欄補間点或いは帳票補間点の座標データの変換を行うことができる。
【００４９】
この場合、画像補正部は、印鑑欄補間点或いは帳票補間点の最近傍に位置する３つの交点或いは線上点に基づく三角形分割アフィン変換により印鑑欄補間点或いは帳票補間点の座標データの変換を行うことができる。
【００５０】
本発明に係る帳票処理システムにおいて、画像補正部は、透視変換により印鑑欄補間点或いは帳票補間点の座標データの変換を行うこともできる。
【００５１】
本発明に係る帳票処理システムにおいて、罫線追跡部は、ハフ変換により印鑑欄罫線或いは帳票罫線の追跡を行うことができる。
【００５２】
また、罫線追跡部は、チェインコードにより印鑑欄罫線或いは帳票罫線の追跡を行うこともできる。
【００５３】
〈構成４〉
本発明に係る帳票画像補正方法は、印鑑押捺欄が設けられているフォームを有する帳票の帳票イメージの変形を補正し、フォームの基準罫線の交点からなる複数の基準交点の座標データを記憶することと、基準交点に対応して、帳票イメージにおける印鑑押捺欄を形成する印鑑欄罫線の交点を印鑑欄交点として探索することと、探索された印鑑欄交点を座標データを検出することと、検出された印鑑欄交点の座標データを、対応の各基準交点の座標データへ変換して、帳票イメージにおける印鑑欄罫線の変形を補正することと、印鑑押捺欄内における複数の点を印鑑欄補間点として設定し、印鑑欄交点の座標データの変換に基づき各印鑑欄補間点の座標データを変換して、印鑑イメージの変形を補正することとを備えることを特徴とする。
【００５４】
本発明に係る帳票画像補正方法は、探索された複数の印鑑欄交点に基づいて印鑑欄罫線を追跡することを更に備え、更に何れかの基準罫線をそれぞれの所定の分割数で分割した分割点を基準線上点として、それぞれの基準線上点の座標データを記憶し、更に罫線追跡部により追跡された印鑑欄罫線を、対応の所定の分割数で分割した分割点を印鑑欄線上点として探索し、更に探索された印鑑欄線上点の座標データを検出し、更に検出された印鑑欄線上点の座標データを、対応の印鑑欄押捺欄の各基準線上点の座標データへ変換して、印鑑欄罫線の変形を補正し、更に印鑑欄線上点の座標データの変換に基づいて、各印鑑欄補間点の座標データの変換を行って、印鑑イメージの変形の補正を行うことができる。
【００５５】
この場合、記憶される基準線上点は、何れかの基準罫線をそれぞれの所定の分割数で等分割した分割点であり、印鑑欄罫線を対応の所定の分割数で等分割した分割点を印鑑欄線上点として探索する。
【００５６】
本発明に係る帳票画像補正方法は、更に基準交点に対応して、帳票イメージにおける帳票罫線の交点を帳票交点として探索し、更に探索された各帳票交点の座標データを検出し、更に検出された各帳票交点の座標データを、対応の各基準交点の座標データへ変換して、帳票イメージにおける帳票罫線の変形を補正し、更に帳票イメージ内における複数の点を帳票補間点として設定し、帳票交点の座標データの変換に基づき各帳票補間点の座標データを変換して、帳票イメージの変形を補正することができる。
【００５７】
本発明に係る帳票画像補正方法は、探索された複数の帳票交点に基づいて帳票罫線を追跡することを更に備え、更に何れかの基準罫線をそれぞれの所定の分割数で分割した分割点を基準線上点として、それぞれの基準線上点の座標データを記憶し、更に罫線追跡部により追跡された帳票罫線を、対応の所定の分割数で分割した分割点を帳票線上点として探索し、更に探索された帳票線上点の座標データを検出し、更に検出された帳票線上点の座標データを、対応の各基準線上点の座標データへ変換して、帳票罫線の変形を補正し、更に帳票線上点の座標データの変換に基づいて、各帳票補間点の座標データの変換を行って、帳票イメージの変形の補正を行うことができる。
【００５８】
この場合、記憶される基準線上点は、何れかの基準罫線をそれぞれの所定の分割数で等分割した分割点であり、帳票罫線を対応の所定の分割数で等分割した分割点を帳票線上点として探索する。
【００５９】
本発明に係る帳票画像補正方法は、アフィン変換により印鑑欄補間点或いは帳票補間点の座標データの変換を行うことができる。
【００６０】
この場合、印鑑欄補間点或いは帳票補間点の最近傍に位置する３つの交点或いは線上点に基づく三角形分割アフィン変換により印鑑欄補間点或いは帳票補間点の座標データの変換を行うことができる。
【００６１】
本発明に係る帳票画像補正方法は、透視変換により印鑑欄補間点或いは帳票補間点の座標データの変換を行うこともできる。
【００６２】
本発明に係る帳票画像補正方法は、ハフ変換により印鑑欄罫線或いは帳票罫線の追跡を行うことができる。
【００６３】
また、チェインコードにより印鑑欄罫線或いは帳票罫線の追跡を行うこともできる。
【発明の効果】
【００６４】
本発明の帳票処理装置、帳票処理システム及び帳票画像補正方法によれば、帳票イメージに含まれる印鑑イメージの変形を確実に補正可能となるので、印鑑が必要な帳票の帳票イメージをインターネット経由で送信して申込処理を実行可能となり、コストが低減されると共に、申込処理に要する時間が短縮化される。
【発明を実施するための最良の形態】
【００６５】
以下、本発明の実施形態を、本発明に係る帳票画像補正方法が適用される帳票処理装置と、該帳票処理装置を備える帳票処理システムとを例に、図を用いて詳細に説明する。
【実施例１】
【００６６】
図１は、本発明に係る帳票処理システムの実施例１の構成を示すブロック図である。
本発明の実施例１に係る帳票処理システム１０は、図１に示されるように、例えば金融機関の営業店に設置されるサーバ１１と、該サーバ１１との間でインターネット１２を介して通信を行う端末装置１３とから構成される。この帳票処理システム１０を利用して、顧客は例えば口座振替依頼書等の帳票を利用する申込処理を、インターネット経由で実行させることができる。
【００６７】
端末装置１３は、本実施例では、パーソナルコンピュータ１４、イメージスキャナ１５及びプリンタ１６から構成される。
【００６８】
イメージスキャナ１５は、パーソナルコンピュータ１４の周辺装置として、例えばＵＳＢケーブルを介してパーソナルコンピュータ１４に接続される。このイメージスキャナ１５は、取得部としての機能を有し、印鑑が押捺された帳票をスキャンして、印鑑イメージを含む帳票イメージを取得する。取得された帳票イメージは、パーソナルコンピュータ１４へ送られる。
【００６９】
プリンタ１６は、パーソナルコンピュータ１４の周辺装置として、例えばＵＳＢケーブルやプリンタケーブルを介してパーソナルコンピュータ１４に接続される。このプリンタ１６は、パーソナルコンピュータ１４から受けた後述するフォームのフォームイメージ等のイメージデータを、紙等の媒体へ印刷する機能を有する。
【００７０】
パーソナルコンピュータ１４は、端末表示部１７、端末入力部１８、端末記憶部１９、端末通信部２０及びこれら各部を制御する端末制御部２１を備えている。
【００７１】
端末表示部１７は、例えばディスプレイからなり、イメージスキャナ１５により取得されたイメージを表示する機能や、各種画面を表示する機能を有する。
【００７２】
端末入力部１８は、例えばマウス及びキーボードからなり、入力データや選択データを顧客に入力させる機能を有する。
【００７３】
端末記憶部１９は、イメージスキャナ１５により取得されたイメージデータや、端末入力部１８により入力された入力データ、後述する端末通信部２０により受信したデータ等を一時的に記憶しておく一時記憶部である。
【００７４】
端末通信部２０は、サーバ１１との間でインターネット１２を介して通信を行う通信インタフェースであり、帳票イメージをサーバ１１へ送信する端末送信部としての機能を有する。また、端末通信部２０に、送信データの暗号化機能及び受信データの復号化機能を持たせても良い。
【００７５】
端末制御部２１は、上記した表示機能、入力機能、記憶機能及び通信機能等を制御するためのプログラムを備えている。
【００７６】
サーバ１１は、サーバ通信部２２、サーバ端末装置３２、口座情報記憶部３３、帳票処理装置３４及びこれら各部を制御するサーバ制御部３５を備えている。
【００７７】
サーバ通信部２２は、端末装置１３との間でインターネット１２を介して通信を行う通信インタフェースであり、帳票イメージを受信する機能を有する。受信された帳票イメージは、後述するサーバ制御部３５を介して帳票処理装置３４へ送られる。なお、サーバ通信部２２に、受信データの復号化機能及び送信データの暗号化機能を持たせても良い。
【００７８】
サーバ端末装置３２は、例えば、金融機関の営業店に設置されるパーソナルコンピュータ等の端末装置からなり、後述する帳票処理装置３４による各種処理結果を表示する機能や、表示された処理結果に対する修正入力を行う機能を有する。
【００７９】
口座情報記憶部３３は、顧客の口座における口座番号に対応させて、氏名や住所からなる顧客情報及び該口座に対して登録される印鑑イメージ等を記憶するための専用記憶部であり、後述する帳票処理装置３４による各種処理結果を口座番号に対応させて記憶する機能を有する。
【００８０】
サーバ制御部３５は、上記した各機能及び帳票処理装置３４を制御する機能を有する。
【００８１】
帳票処理装置３４は、サーバ１１内に配置され、端末装置１３から送信された帳票イメージに対して処理を行うために、一時記憶部２３、フォーム記憶部２４、座標記憶部２５、探索部２６、検出部２７、罫線追跡部２８、罫線補正部２９、画像補正部３０、処理部３１及びこれら各部を制御するための装置制御部３６を備えている。
【００８２】
一時記憶部２３は、サーバ制御部３５から受けた帳票イメージ等のデータや、後述する各部の出力結果等を一時的に記憶しておく機能を有する。
【００８３】
フォーム記憶部２４は、複数の帳票のフォームを、各帳票を識別する帳票識別情報と対応させて記憶する記憶部である。
【００８４】
座標記憶部２５は、基準交点の座標データを、各帳票に対応させて記憶している。ここで、基準交点は、帳票のフォームにおける基準罫線の交点からなり、後述する探索部２６及び検出部２７により探索及び検出可能である。なお、本実施例では、基準交点の座標データは座標記憶部２５に予め記憶されているが、帳票処理の都度、フォーム記憶部２４から対応するフォームを読み出して、探索部２６及び検出部２７により探索及び検出しても良い。
【００８５】
また、座標記憶部２５は、基準線上点の座標データを、各帳票に対応させて記憶している。ここで基準線上点は、帳票のフォームにおける各基準罫線をそれぞれの所定の分割数で分割した分割点からなり、後述する罫線追跡部２８、探索部２６及び検出部２７により追跡、探索及び検出可能である。なお、本実施例では、基準線上点の座標データは座標記憶部２５に予め記憶されているが、上記した基準交点の場合と同様に、帳票処理の都度、追跡、探索及び検出しても良い。
【００８６】
探索部２６は、一時記憶部２３に記憶された帳票イメージにおける罫線の交点を、帳票交点として探索する機能を有する。探索部２６による帳票交点の探索方法は、例えば一定サイズの微小な矩形領域内において黒画素密度が一定値以上であることを条件として決定する方法が可能であるが、これに限定されない。
また、探索部２６は、上記各罫線をそれぞれの所定の分割数で分割した分割点を帳票線上点として探索する機能を有する。
【００８７】
検出部２７は、探索部２６により探索された帳票交点や帳票線上点等の座標データを検出する機能を有する。
【００８８】
罫線追跡部２８は、一時記憶部２３に記憶された帳票イメージにおいて、探索部２６により探索された複数の帳票交点に基づいて、帳票罫線を追跡する機能を有する。罫線追跡部２８による帳票罫線の追跡には、例えば公知の画像処理要素技術であるハフ変換等の直線検出技術や、輪郭追跡技術、チェインコード等の線検出ロジックを適用することが可能であるが、これに限定されない。
【００８９】
罫線補正部２９は、検出部２７により検出された各帳票交点及び各帳票線上点の座標データを、座標記憶部２５に記憶された対応する各基準交点及び各基準線上点の座標データへ変換することにより、帳票イメージにおける帳票罫線の変形を補正する。
【００９０】
画像補正部３０は、一時記憶部２３に記憶された帳票イメージ内における複数の点を帳票補間点として設定し、罫線補正部２９による帳票交点及び帳票線上点の座標データの変換に基づいて、各帳票補間点の座標データを変換することにより、帳票イメージに含まれる印鑑イメージや記載内容のイメージの変形を補正する。本実施例では、画像補正部３０による各帳票補間点の座標データの変換は、後述するように、該帳票補間点の最近傍に位置する３つの帳票交点或いは帳票線上点に基づく三角形分割アフィン変換により行うが、これに限定されない。
【００９１】
処理部３１は、後述する帳票処理装置３４により変形を補正された帳票イメージ、即ち補正帳票イメージに対して、記載内容のテキスト化処理や印鑑照合処理等の各処理を行う機能を有する。
【００９２】
処理部３１による記載内容のテキスト化処理は、例えば、フォーム記憶部２４に予め記憶されている帳票のフォームに基づいて、補正帳票イメージにおける文字認識対象領域の決定を行い、該領域に対して、ＯＣＲ（Ｏｐｔｉｃａｌ  Ｃｈａｒａｃｔｅｒ  Ｒｅａｄｅｒ）認識処理を行うことによりなされる。
【００９３】
また、処理部３１による印鑑照合処理は、例えば、フォーム記憶部２４に予め記憶されている帳票のフォームに基づいて、補正帳票イメージにおける印鑑押捺欄の決定を行い、該印鑑押捺欄に対して、印鑑イメージの抽出を行った後、抽出された印鑑イメージと、口座情報記憶部３３に予め登録されている対応の登録印鑑の印鑑イメージとを照合することにより行われる。
処理部３１による各処理については、詳しい説明を省略する。
【００９４】
装置制御部３６は、上記した各部を制御する機能を有し、サーバ制御部３５から受けた帳票イメージに対する各処理結果及び補正帳票イメージを、サーバ制御部３５へ送る機能を有する。
【００９５】
次に、帳票処理システム１０を利用して、印鑑が必要な申込処理をインターネット１２経由で実行する流れを、口座振替依頼の場合を例に、フローチャートに沿って説明する。
図２は、本発明に係る帳票処理システムの実施例１における動作を示すフローチャートである。
【００９６】
例えば、公共料金等について、口座振替の申込を行うための帳票としての口座振替依頼書を入手するために、顧客がパーソナルコンピュータ１４の端末入力部１８を操作して、サーバ１１へのアクセスを要求するアクセス要求信号を入力すると、端末制御部２１は、端末通信部２０に該アクセス要求信号をサーバ１１へ送信させる（Ｓ１０１）。
【００９７】
サーバ１１において、サーバ通信部２２がアクセス要求信号を受信すると、サーバ制御部３５は、サーバ通信部２２に、ダウンロードする帳票の種類を顧客に選択させるための帳票選択画面を端末装置１３へ送信させる。
【００９８】
端末装置１３において、端末通信部２０が該帳票選択画面を受信すると、端末制御部２１は、端末表示部１７に帳票選択画面を表示させる（Ｓ１０２）。
【００９９】
帳票選択画面において、顧客が端末入力部１８を操作して、口座振替依頼書を選択すると、口座振替依頼書が選択されたことを示す選択帳票識別情報が入力される。この入力を受けて、端末制御部２１は、端末通信部２０に該選択帳票識別情報をサーバ１１へ送信させる（Ｓ１０３）。
【０１００】
サーバ１１において、サーバ通信部２２が選択帳票識別情報を受信すると、サーバ制御部３５は、フォームを要求するフォーム要求信号と共に該選択帳票識別情報を、帳票処理装置３４へ送る。帳票処理装置３４がフォーム要求信号及び選択帳票識別情報を受けると、装置制御部３６は、該選択帳票識別情報に基づいてフォーム記憶部２４から口座振替依頼書のフォームを読み出して、該フォームをサーバ制御部３５へ送る。そして、サーバ制御部３５は、サーバ通信部２２を制御して、該フォームと、帳票イメージを送信するための帳票送信画面としての口座振替依頼書送信画面とを、端末装置１３へ送信させる（Ｓ１０４）。
【０１０１】
端末装置１３において、端末通信部２０が口座振替依頼書のフォーム及び口座振替依頼書送信画面を受信すると、端末制御部２１は、端末記憶部１９に該フォームを記憶させ、端末表示部１７に口座振替依頼書送信画面を表示させる。そして、顧客が端末入力部１８により、該フォームの印刷を選択すると、端末制御部２１は、プリンタ１６に該フォームを印刷させる（Ｓ１０５）。
【０１０２】
図３は、帳票のフォーム、記載帳票及び帳票イメージの説明図である。
本実施例で使用される帳票のフォームは、図３（１）に示されるように、各必要事項を記載する領域を指定するための罫線、即ち帳票罫線を有している。また、フォーム右下の所定位置には、印鑑を押捺するための印鑑押捺欄３９が設けられている。
【０１０３】
印刷された口座振替依頼書において、顧客が、顧客の口座における口座番号や顧客の氏名、住所等からなる口座情報等の各必要事項を、それぞれ所定の領域に記入し、印鑑押捺欄３９に該口座における登録印鑑を押捺した後、イメージスキャナ１５の所定位置に該口座振替依頼書、即ち記載帳票を載置する。そして、顧客が端末入力部１８を操作して、イメージスキャナ１５に画像を取得させるための入力を行うと、端末制御部２１は、イメージスキャナ１５に、載置されている記載帳票の画像、即ち帳票イメージ３７を取得させる（Ｓ１０６）。イメージスキャナ１５により取得された帳票イメージ３７は、パーソナルコンピュータ１４に送られ、端末記憶部１９に記憶される（Ｓ１０６）。
【０１０４】
図３（２）に示された記載帳票には、説明を簡略にするために、口座番号を記入するための口座番号領域３８に対してのみ記入がなされている。また、記載帳票の印鑑押捺欄３９には、印鑑が押捺されている。
【０１０５】
そして、イメージスキャナにより取得された記載帳票のイメージ、即ち帳票イメージ３７が、図３（３）に示されている。顧客の操作により取得された帳票イメージ３７は、例えば金融機関の熟練したオペレータが高精度な画像取得装置を用いて取得した帳票イメージとは異なり、折れ曲がりや浮き上がり、歪み等を含む何らかの変形が発生してしまう。図３（３）に示される帳票イメージ３７は、図３（２）に示された記載帳票と比較して、変形が生じていることがわかる。この帳票イメージ３７から変形のない正しい印鑑イメージを抽出するためには、帳票イメージ３７の少なくとも印鑑押捺欄３９内の変形を補正する必要がある。この変形の補正については、後ほど説明する。
【０１０６】
続いて、顧客が、端末表示部１７に表示された口座振替依頼書送信画面において、端末入力部１８を操作して、帳票イメージ３７のサーバ１１への送信を選択すると、端末制御部２１は、端末通信部２０を制御して、端末記憶部１９に記憶された帳票イメージ３７と口座振替依頼書を示す帳票識別情報とをサーバ１１へ送信させる（Ｓ１０７）。
【０１０７】
サーバ１１において、サーバ通信部２２が帳票イメージ３７及び帳票識別情報を受信すると、サーバ制御部３５は、これらを帳票処理装置３４へ送る。
【０１０８】
帳票処理装置３４において、サーバ制御部３５から帳票イメージ３７及び帳票識別情報を受けると、装置制御部３６は、これらを一時記憶部２３に記憶させる（Ｓ１０８）。続いて、装置制御部３６は、一時記憶部２３に記憶された帳票識別情報に基づいて、該帳票のフォームの基準交点及び基準線上点の座標データを読み出して、これらを一時記憶部２３に記憶させる（Ｓ１０８）。
【０１０９】
図４は、フォーム及び帳票イメージにおける交点及び線上点の説明図である。
図４（１）に示されるフォームにおいて、複数の白丸「○」で示されるのは各基準交点４０の位置であり、フォームにおける各基準罫線の交点に対応している。そして、複数の黒丸「●」で示されるのは各基準線上点４１の位置である。本実施例では、予めフォームのフォームイメージに対して、罫線追跡部２８により基準罫線の追跡を行わせ、該基準罫線の座標列を取得させておき、各基準罫線に対して取得された各座標列を、所定の間隔で間引いた点を基準線上点として、その座標データを予め座標記憶部２５に記憶させている。
【０１１０】
続いて、装置制御部３６は、一時記憶部２３から帳票イメージ３７を読み出して、探索部２６に、該帳票イメージ３７における帳票罫線の交点、即ち帳票交点４２を探索させる（Ｓ１０９）。探索部２６は、フォームの各基準交点４０に対応する帳票交点４２を探索する。そして、サーバ制御部３５は、検出部２７に、探索された帳票交点４２の座標データを検出させる（Ｓ１０９）。検出された帳票交点４２の座標データは、罫線補正部２９により対応する基準交点４０の座標データと対応づけられて、一時記憶部２３に記憶される（Ｓ１０９）。また、罫線補正部２９は、補正帳票イメージを記憶するための領域、即ち補正帳票イメージ領域を一時記憶部２３に設け、該領域に各帳票交点４２の座標データを対応の各基準交点４０の座標データへ変換して記憶させる（Ｓ１０９）。
【０１１１】
図４（２）に示される帳票イメージ３７において、複数の白丸「○」で示されるのは、探索部２６により探索された帳票交点４２の位置である。図４（１）に示される基準交点４０ａ及び４０ｂは、それぞれ図４（２）に示される交点４２ａ及び４２ｂに対応している。
【０１１２】
図５は、本発明に係る帳票画像補正方法における罫線補正処理の原理説明図である。
罫線補正部２９は、帳票イメージ３７において、探索部２６により探索され、検出部２７により検出された各帳票交点４２の座標データを、対応する各基準交点４０の座標データに変換することにより、帳票イメージ３７における帳票罫線の補正を行っている。
【０１１３】
次に、サーバ制御部３５は、罫線追跡部２８に、帳票イメージ３７における２つの帳票交点４２を結ぶ線分、即ち帳票罫線を追跡させる（Ｓ１１０）。罫線追跡部２８は、例えば図４（２）に示された２つの帳票交点４２ａ及び４２ｂを結ぶ帳票罫線４４を追跡し、該帳票罫線４４の座標列を取得する。続いて、サーバ制御部３５は、探索部２６に、追跡された帳票罫線４４を所定の間隔で間引いた点を帳票線上点として探索させる。図４（３）に示された帳票イメージ３７では、帳票罫線４４を８等分に分割した分割点が、帳票線上点４３−１、４３−２、・・・４３−７として示されている。
【０１１４】
探索部２６により複数の帳票線上点４３が探索されると、サーバ制御部３５は、検出部２７に各帳票線上点４３の座標データを検出させる（Ｓ１１０）。検出された各帳票線上点４３の座標データは、罫線補正部２９により対応する基準線上点４１の座標データと対応づけられて、一時記憶部２３に記憶される（Ｓ１１０）。また、罫線補正部２９は、一時記憶部２３における補正帳票イメージ領域に、各帳票線上点４３の座標データを対応の各基準線上点４１の座標データへ変換して記憶させる（Ｓ１１０）。
【０１１５】
なお、この帳票線上点と基準線上点との対応づけは、フォームにおける基準罫線の交点、即ち基準交点が少なくて、該基準交点の対応づけのみでは画像の補正が不十分である場合に行われる。したがって、基準交点のみによる画像の補正で充分な効果が得られると判断される場合は、罫線追跡部２８による帳票罫線の追跡動作と、探索部２６及び検出部２７による帳票線上点の探索及び検出動作（Ｓ１１０）は、省略しても良い。
【０１１６】
上記した帳票交点及び帳票線上点による画像補正処理では、変形が補正されるのは帳票罫線のみであり、帳票罫線内の画像の変形は補正されていない。そこで、サーバ制御部３５は、画像補正部３０を制御して、帳票罫線内の画像の補正を行わせる（Ｓ１１１）。
【０１１７】
画像補正部３０は、補正対象の領域をフォームに基づいて決定する。本実施例では、帳票イメージ３７全体の画像の変形を補正するが、簡単のために、印鑑押捺欄３９内の画像、即ち印鑑イメージの補正について説明する。
図６は、印鑑押捺欄内における画像補正処理の説明図である。
【０１１８】
補正対象の領域が印鑑押捺欄３９である場合、画像補正部３０は、印鑑押捺欄３９内における複数の点を印鑑欄補間点として設定する。例えば、画像補正部３０は、帳票イメージ３７における印鑑押捺欄３９内の各画素点を、各印鑑欄補間点として設定する。図６（１）では、補正処理前の帳票イメージ３７における印鑑押捺欄３９が示されており、「×」で示されているのが印鑑欄補間点４５である。この印鑑欄補間点４５は、複数点設定される印鑑欄補間点の中の１点であり、印鑑イメージ上に位置している。
【０１１９】
そして、画像補正部３０は、印鑑欄補間点４５の最近傍にある帳票交点或いは帳票線上点を３点選択する。選択される帳票交点或いは帳票線上点は、印鑑押捺欄を形成する罫線、即ち印鑑欄罫線上に位置する印鑑欄交点或いは印鑑欄線上点である。
図６（１）では、印鑑欄補間点４５の最近傍に位置する印鑑欄交点４２ｃと印鑑欄線上点４３ａ及び４３ｂが選択される。
【０１２０】
続いて、画像補正部３０は、印鑑欄補間点４５の座標データと、選択された３点４２ｃ、４３ａ及び４３ｂの座標データとに基づいて、印鑑欄補間点４５と選択された各点との距離を、それぞれ算出する。そして、画像補正部３０は、罫線補正部２９により座標変換された３点、即ち図６（２）の基準交点４０ｃと、基準線上点４１ａ及び４１ｂの座標データを一時記憶部２３から読み出して、これら３点との距離の相対比が、図６（１）の印鑑欄補間点４５に対して算出された各点との距離の相対比と一致すべく、補正後の印鑑欄補間点、即ち補正印鑑欄補間点４６の座標データを算出する。
即ち、図６（２）における補正印鑑欄補間点４６と基準４０ｃ、基準線上点４１ａ、４１ｂとの距離の相対比は、図６（１）における印鑑欄補間点４５と印鑑欄交点４２ｃ、印鑑欄線上点４３ａ、４３ｂとの距離の相対比に一致する。
【０１２１】
このように、画像補正部３０は、図６（１）の印鑑欄補間点４５から図６（２）の補正印鑑欄補間点４６への座標変換を、印鑑押捺欄３９内の全ての画素点について行うことにより、印鑑押捺欄内の画像の変形を補正する。即ち、変換前の印鑑欄補間点の輝度値を検出しておき、算出された変換先の補正印鑑欄補間点の位置に該輝度値をコピーすることにより、画像変換が行われ、印鑑押捺欄３９内の画像、即ち印鑑イメージの変形が補正される。
【０１２２】
なお、本実施例で説明した画像補正部３０による画像補正処理の方法は一例であり、他の方法を適用することも可能である。
【０１２３】
画像補正部３０は、上記した印鑑押捺欄３９内における画像変換と同一の変換を、帳票イメージ３７内の全ての画素点について行うことにより、帳票イメージ３７の画像補正を行う（Ｓ１１１）。補正された帳票イメージ、即ち補正帳票イメージ４７は、一時記憶部２３に記憶される。
【０１２４】
続いて、処理部３１が補正帳票イメージ４７に対するテキスト化及び印鑑照合処理等の各処理を行う（Ｓ１１２）。処理結果は、補正帳票イメージ４７と共にサーバ制御部３５へ送られる。
【０１２５】
サーバ制御部３５は、補正帳票イメージ４７及び対応する処理結果を受けると、サーバ端末装置３２の表示部に表示させ、必要に応じて、サーバ端末装置３２の入力部により修正入力が行われる。そして、サーバ制御部３５は、処理結果に含まれる口座番号に基づいて、該処理結果を口座情報記憶部３３に記憶させる（Ｓ１１２）。
【０１２６】
そして、サーバ制御部３５は、サーバ通信部２２を制御して、該帳票、即ち口座振替依頼書に対する受付処理が終了したことを示す受付完了画面を端末装置１３へ送信させる（Ｓ１１３）。
【０１２７】
端末装置１３において、端末通信部２０が受付完了画面を受信すると、端末制御部２１が、端末表示部１７に該受付完了画面を表示させて（Ｓ１１４）、帳票処理システム１０は申込処理を終了する。
【０１２８】
上記のように、本実施例の帳票処理システムによれば、印鑑押捺が必要な帳票を用いた申込処理を、顧客の家や会社における端末装置及び画像取得装置を用いて実行可能となるので、該帳票の郵送に要するコストが削減されると共に、郵送に要する時間が短縮化される。また、帳票イメージに含まれる印鑑イメージの変形の補正を確実に行えるので、帳票イメージの取得の際に、高精度な画像取得装置を用いる必要がなく、通常普及しているデジタルカメラ等を利用することが可能となるので、装置構成上の自由度が高まると共に、顧客側における初期投資コストが低減される。
【０１２９】
なお、本実施例では、端末装置として、パーソナルコンピュータ及びイメージスキャナからなる端末システムを採用したが、取得部として、イメージスキャナに代えてデジタルカメラを採用することも可能である。
【０１３０】
また、端末装置として、デジタルカメラ付き携帯電話機を採用することも可能である。この場合、帳票処理装置としてのサーバと端末装置との間の通信は、無線ネットワークを介して行われる。
【実施例２】
【０１３１】
図８は、本発明に係る帳票処理システムの実施例２の構成を示すブロック図である。
本発明の実施例２に係る帳票処理システム５０は、図８に示されるように、例えば企業や金融機関等の機関に設置されるサーバ５１と、該サーバ５１との間で無線ネットワーク５２を介して通信可能な顧客のデジタルカメラ付き携帯電話機５３とから構成される。
この帳票処理システム５０を利用して、携帯電話機５３を所有する顧客は、サーバ５１が設置された機関に対して、各種申込処理を行うことができる。
なお、本実施例において、実施例１と同様な構成及び動作を同一の符号で示し、これらについての説明を省略する。
【０１３２】
携帯電話機５３は、帳票処理機能を有する端末装置として、デジタルカメラ５５、表示部５６、入力部５７、通信部６５、帳票処理装置５４及びこれら各部を制御する制御部５８を備えている。
【０１３３】
デジタルカメラ５５は、印鑑が押捺された帳票を撮影して、印鑑イメージを含む帳票イメージを取得する機能を有する。
【０１３４】
表示部５６は、例えば液晶ディスプレイからなり、デジタルカメラ５５により取得された帳票イメージを表示する機能や、各種画面を表示する機能を有する。
【０１３５】
入力部５７は、例えば入力ボタンからなり、入力データや選択データをオペレータに入力させる機能を有する。
【０１３６】
通信部６５は、サーバ５１との間で無線ネットワーク５２を介して通信を行う通信インタフェースであり、後述する帳票処理装置５４により画像を補正された帳票イメージ、即ち補正帳票イメージ及び処理結果をサーバ５１へ送信する装置送信部としての機能を有する。
【０１３７】
制御部５８は、上記各部を制御する機能を有し、また、デジタルカメラ５５により取得された帳票イメージを帳票処理装置５４へ送る機能を有する。
【０１３８】
帳票処理装置５４は、携帯電話機５３内に配置され、デジタルカメラ５５により取得された帳票イメージに対して処理を行うために、一時記憶部５９、フォーム記憶部６０、座標記憶部６１、探索部２６、検出部２７、罫線追跡部２８、罫線補正部２９、画像補正部３０、装置通信部６５及び装置制御部６２を備えている。
【０１３９】
一時記憶部５９は、デジタルカメラ５５により取得された帳票イメージや、各部による出力結果等を一時的に記憶しておく機能を有する。
【０１４０】
フォーム記憶部６０は、帳票のフォームを記憶するための記憶部である。フォーム記憶部６０に記憶されるフォームは、予め機関側のサーバ５１からダウンロードされる。
【０１４１】
座標記憶部２５は、フォームにおける基準交点及び基準線上点の座標データを記憶している。ここで、座標記憶部２５に記憶される基準交点及び基準線上点は、フォーム記憶部６０に記憶されたフォームに対して、後述する罫線追跡部２８、探索部２６、検出部２７及び罫線追跡部２８により、追跡、探索及び検出等を行って、記憶される。
なお、罫線追跡部２８、探索部２６及び検出部２７の構成及び動作は、実施例１と同一なので、詳しい説明を省略する。
【０１４２】
装置制御部６２は、上記各部を制御する機能を有する。
【０１４３】
サーバ５１は、機関側に配置され、サーバ通信部６３、処理部３１、サーバ端末装置３２及び口座情報記憶部３３を備えている。
【０１４４】
サーバ通信部６３は、携帯電話機５３との間で無線ネットワーク５２を介して通信を行う通信インタフェースであり、補正帳票イメージや該帳票に対する処理結果等を受信する。
【０１４５】
サーバ制御部６４は、上記した各部を制御する機能を有する。
【０１４６】
次に、帳票処理システム５０を利用して、印鑑が必要な申込処理を実行する流れを、フローチャートに沿って説明する。
図９は、本発明に係る帳票処理システムの実施例２における動作を示すフローチャートである。
【０１４７】
本実施例では、顧客が所有するデジタルカメラ付き携帯電話機５３を利用して、印鑑が必要な申込処理を無線ネットワーク５２を介して行う。該申込処理のための帳票は、例えば、顧客がサーバ５１からダウンロードして、図示されないプリンタにより予め印刷しておく。顧客は、帳票を入手すると、該帳票に必要事項を記入して、印鑑押捺欄に印鑑を押捺する。
【０１４８】
顧客は、携帯電話機５３の入力部５７を操作して、帳票処理を行うための入力を行う。この入力を受けて、制御部５８は、帳票イメージを取得させるためのイメージ取得画面を表示部５６に表示させる。そして、入力部５７により帳票イメージの取得が選択されると、該選択を受けた制御部５８が、デジタルカメラ５５を制御して、顧客により記入押捺された記載帳票を撮影させて、帳票イメージを取得する（Ｓ２０１）。
【０１４９】
続いて、制御部５８は、表示部５６に帳票の種類を選択するための選択画面を表示する。そして、入力部５７による選択により、該帳票の帳票識別情報が入力される（Ｓ２０１）。
取得された帳票イメージ及び入力された帳票識別情報は、制御部５８により帳票処理装置５４へ送られる（Ｓ２０１）。
【０１５０】
帳票イメージ及び帳票識別情報を受けると、装置制御部６２は、一時記憶部５９に該帳票イメージ及び帳票識別情報を記憶させる。
【０１５１】
続いて、装置制御部６２は、該帳票識別情報に基づいて、座標記憶部６１から該帳票のフォームの基準交点及び基準線上点の座標データを読み出して、これらを一時記憶部５９に記憶させる（Ｓ１０８）。座標記憶部６１に基準交点及び基準線上点の座標データが記憶されていない場合は、探索部２６及び検出部２７により基準交点の座標データを検出し、罫線追跡部２８、探索部２６及び検出部２７により基準線上点の座標データを検出する（Ｓ１０８）。
【０１５２】
続いて、装置制御部６２は、一時記憶部５９から帳票イメージを読み出して、探索部２６に、該帳票イメージにおける帳票罫線の交点、即ち帳票交点４２を探索させ、検出部２７に、該帳票交点の座標データを検出させる（Ｓ１０９）。検出された座標データは、罫線補正部２９により対応する基準交点の座標データと対応づけられて、一時記憶部５９に記憶される（Ｓ１０９）。また、罫線補正部２９は、各帳票交点の座標データを各基準交点の座標データに変換して、一時記憶部５９に設けられた補正帳票イメージ領域に記憶させる（Ｓ１０９）。
【０１５３】
次に、装置制御部６２は、罫線追跡部２８に、帳票イメージにおける２つの帳票交点を結ぶ帳票罫線を追跡させ（Ｓ１１０）、探索部２６に複数の線上点、即ち帳票線上点を探索させる（Ｓ１１０）。そして、検出部２７により各帳票線上点の座標データが検出されると、罫線補正部２９が、該帳票線上点の座標データと基準線上点の座標データとの対応づけを行い、一時記憶部５９が該座標データを記憶する（Ｓ１１０）。また、罫線補正部２９は、各帳票線上点の座標データを各基準線上点の座標データに変換して、一時記憶部５９に設けられた補正帳票イメージ領域に記憶させる（Ｓ１１０）。
【０１５４】
そして、装置制御部６２は、画像補正部３０を制御して、帳票イメージ内に帳票補間点を設定して、該帳票補間点に対する座標変換を行うことにより、帳票イメージ内の画像の補正を行わせ、補正帳票イメージを取得する（Ｓ１１１）。取得された補正帳票イメージは、一時記憶部５９に記憶される。
【０１５５】
続いて、装置制御部６２は、一時記憶部５９から補正帳票イメージ及び帳票識別情報を読み出して、制御部５８へ送る。
【０１５６】
制御部５８は、補正帳票イメージ及び帳票識別情報を受けると、通信部６５を制御して、該補正帳票イメージ及び帳票識別情報をサーバ５１へ送信させる（Ｓ２０２）。
【０１５７】
サーバ５１において、サーバ通信部６３が補正帳票イメージ及び帳票識別情報を受信すると、サーバ制御部６４は、処理部３１を制御して、補正帳票イメージに対する記載内容のテキスト化処理や印鑑照合処理等の各処理を行わせる（Ｓ２０３）。処理結果は、サーバ端末装置３２の表示部に表示され、必要に応じて修正入力等が行われる。
【０１５８】
そして、サーバ制御部６４は、補正帳票イメージ及び処理結果を口座情報記憶部３３に記憶させる（Ｓ２０３）。なお、処理部３１による各処理は、申込処理終了後に実行させても良い。
【０１５９】
続いて、サーバ制御部６４は、サーバ通信部６３に、受付処理が完了したことを示す受付完了画面を携帯電話機５３へ送信させる（Ｓ２０４）。
【０１６０】
携帯電話機５３において、通信部６５が受付完了画面を受信すると、制御部５８が表示部５６に該受付完了画面を表示させて（Ｓ２０５）、帳票処理システム５０は申込処理を終了する。
【０１６１】
上記のように、本実施例の帳票処理システムによれば、帳票処理装置を端末装置側に設け、該端末装置において帳票イメージの取得、画像補正及びサーバへの補正帳票イメージの送信を行うことが可能なので、帳票処理装置による変形の補正が不可能な帳票イメージが取得部により取得された場合に、サーバとの通信を繰り返す必要がなくなるので、申込処理に要する時間の短縮化が可能となり、また、サーバへの負荷が軽減される。
【０１６２】
また、デジタルカメラ付き携帯電話機に帳票処理機能を持たせることにより、装置の小型化及び低価格化が可能となり、コストが低減されると共に、帳票処理装置の持ち運びが可能となるので、例えば、機関側のオペレータが該帳票処理装置を有するデジタルカメラ付き携帯電話機を持参して、顧客の家や会社等を訪問して、顧客からの申込処理を受け付けることが可能となり、更に利用範囲が拡大される。
【０１６３】
なお、本実施例では、帳票処理機能を有する端末装置として、デジタルカメラ付き携帯電話機を採用したが、携帯端末装置を採用することも可能である。この場合、端末装置の取得部として、該携帯端末装置に接続されるイメージスキャナ或いはデジタルカメラが採用される。
【図面の簡単な説明】
【０１６４】
【図１】本発明に係る帳票処理システムの実施例１の構成を示すブロック図である。
【図２】本発明に係る帳票処理システムの実施例１における動作を示すフローチャートである。
【図３】帳票のフォーム、記載帳票及び帳票イメージの説明図である。
【図４】フォーム及び帳票イメージにおける交点及び線上点の説明図である。
【図５】本発明に係る帳票画像補正方法における罫線補正処理の説明図である。
【図６】印鑑押捺欄内における画像補正処理の説明図である。
【図７】帳票イメージにおける画像補正処理の説明図である。
【図８】本発明に係る帳票処理システムの実施例２の構成を示すブロック図である。
【図９】本発明に係る帳票処理システムの実施例２における動作を示すフローチャートである。
【符号の説明】
【０１６５】
１０  帳票処理システム
１１  サーバ
１２  インターネット
１３  端末装置
１４  パーソナルコンピュータ
１５  イメージスキャナ
１６  プリンタ
１７  端末表示部
１８  端末入力部
１９  端末記憶部
２０  端末通信部
２１  端末制御部
２２  サーバ通信部
２３  一時記憶部
２４  フォーム記憶部
２５  座標記憶部
２６  探索部
２７  検出部
２８  罫線追跡部
２９  罫線補正部
３０  画像補正部
３１  処理部
３２  サーバ表示部
３３  口座情報記憶部
３４  装置制御部
３５  サーバ制御部
３６  帳票処理装置
【図１】
2007274597.tif 000003
【図２】
2007274597.tif 000004
【図３】
2007274597.tif 000005
【図４】
2007274597.tif 000006
【図５】
2007274597.tif 000007
【図６】
2007274597.tif 000008
【図７】
2007274597.tif 000009
【図８】
2007274597.tif 000010
【図９】
2007274597.tif 000011